(57)【要約】【課題】印章の上下を紙面に合わせることができ、かつ、所望の位置に押印できる印鑑を提供する。【解決手段】印鑑１は、透明な円柱状の基材１０からなる。基材１０は端面１１及び１２を有する。端面１１は、印章が刻印された印面である。端面１２は、端面１１と反対側にあり、端面１１と並行する。端面１２はさらに、略全体にわたって平坦である。基材１０が透明で、かつ、端面１２が平坦であるため、真上から見た場合、端面１１の印章の全体像が端面１２から見える。また、押印時、印章とともに紙面も端面１２から見える。そのため、印章の上下を紙面に合わせることができる。さらに、印面が紙面に触れる直前まで、紙面に対する印章の位置を正確に把握でき、所望の位置に正確に押印できる。【選択図】図１
2009137223.tif 000002
【特許請求の範囲】
【請求項１】
第１及び第２の端面を有し、透明な柱状基材からなり、
前記第１の端面は印章が刻印された印面であり、
前記第２の端面の略全体が平坦であることを特徴とする印鑑。
【請求項２】
請求項１に記載の印鑑であって、
前記第２の端面の周縁は丸みを帯びていることを特徴とする印鑑。
【発明の詳細な説明】
【技術分野】
【０００１】
本発明は、印鑑に関し、さらに詳しくは、朱肉を用いて印章を押印する印鑑に関する。
【背景技術】
【０００２】
朱肉を用いて印鑑を押印する場合、印章の上下を紙面に対して正確に合わせるのは難しい。印章の上下が紙面に対して微妙にずれやすい。
【０００３】
印章の上下を紙面に対して正確に合わせて押印する方法として、従来より、印章の上下を示す突起物や溝等を印鑑基材の表面に形成する方法が知られている。
【０００４】
他の方法として、特開２００７−２１６５３４号公報（以下、特許文献１という）に開示されている。特許文献１に開示された印鑑は、基材内部に光源が設けられる。そして、押印時、光源から印面を照らすことにより、印章を紙面に投影する。この文献によれば、使用者は、光源により投影された印章を見て、印章の上下を紙面に合わせながら押印できるとしている。
【０００５】
確かに、これらの方法では、印章の上下を紙面に合わせることができる。しかし、印章を紙面上の所望の位置に正確に押印するのは難しい。通常、押印するとき、使用者は、印鑑を紙面に近づけながら、紙面上の印欄の位置と印鑑の位置とを確認し、押印位置を予測する。このとき、印欄の枠の大きさが印章の大きさとほぼ同じであれば、印欄の枠が印鑑基材自体に遮られてよく見えない場合が生じる。この場合、見えない枠の位置を予想して押印しなければならないため、印章が所望の位置からずれやすい。
【０００６】
特許文献１に記載された印鑑では、光源により紙面に投影される印章（以下、投影印という）のサイズが、実際の印章よりも大きい。そのため、使用者は、実際の印章よりも大きい投影印から、押印後の印章位置を予想しなければならず、所望の位置に正確に押印しにくいと考えられる。
【特許文献１】特開２００７−２１６５３４号公報
【発明の開示】
【発明が解決しようとする課題】
【０００７】
本発明の目的は、印章の上下を紙面に合わせることができ、かつ、所望の位置に押印できる印鑑を提供することである。
【課題を解決するための手段及び発明の効果】
【０００８】
本発明による印鑑は、透明な柱状基材からなる。基材は、透明な第１及び第２の端面を有する。第１の端面は、印章が刻印された印面である。また、第２の端面の略全体が平坦である。
【０００９】
本発明による印鑑は、基材が透明であり、かつ、第１の端面と反対側に位置する第２の端面が平坦である。そのため、真上から印鑑を見れば、第２の端面から第１の端面の印章を実物大で見ることができる。その結果、紙面に印面が接触する直前まで、紙面に対する印章の上下位置を確認できる。
【００１０】
さらに、押印時、使用者は、第２の端面から、印章とともに、紙面も見ることができる。そのため、例えば、所望の印欄に押印するとき、使用者は、印章及び印欄の位置を印鑑基材の外側から確認するだけでなく、印鑑基材の内側からも確認することができる。そのため、使用者は、印面が紙面に触れる直前まで、印章の位置及び印欄の位置を正確に把握することができ、所望の位置に正確に押印できる。
【００１１】
第２の端面の周縁は丸みを帯びていてもよい。使用者は、押印するとき、第２の端面を指及び手のひらで押すことが多い。第２の端面の周縁が丸みを帯びていれば、押印時に指及び手のひらが周縁に当たっても、指及び手のひらが痛くなりにくい。
【発明を実施するための最良の形態】
【００１２】
以下、図面を参照し、本発明の実施の形態を詳しく説明する。図中同一又は相当部分には同一符号を付してその説明は繰り返さない。
【００１３】
図１は、本実施の形態による印鑑の斜視図である。図１に示すように、印鑑１は、円柱状の基材１０からなる。基材１０は、透明な素材からなる。透明な素材とは、たとえば、アクリル樹脂、エポキシ樹脂、ウレタン樹脂等の透明な合成樹脂や、水晶、ガラス等である。
【００１４】
基材１０は２つの端面１１及び１２を有する。端面１１は、印面であり、印章が刻印されている。端面１２は、端面１１の反対側であり、端面１１と並行する。そして、端面１２の全体は平坦である。そのため、印鑑１を真上から見れば、図２に示すように、端面１２から印面１１の印章の全体像をほぼ実物大で見ることができる。
【００１５】
一般的に、朱肉を用いて押印する印鑑では、図３に示すように、印面２０と反対側に位置する端面２１が、全体に丸みを帯びている。押印時、使用者は、端面２１を指や手のひらで押す。端面２１は、全体に丸みを帯びているため、押印時に与えられた力を印面全体に分散しやすく、印章を均一に押印しやすくする。
【００１６】
しかしながら、端面２１が丸みを帯びていれば、たとえ印鑑基材が透明であっても、端面２１から印面２０の印章の全体像を見ることができない。仮に、印鑑基材が透明であって、端面２１が丸みを帯びている場合、端面２１から印面２０を見ると、端面２１が凸レンズとして機能する。そのため、印鑑を真上から見ると、図４に示すように、端面２１からは、印章の中心部分しか見えず、それ以外の部分、たとえば、印章の周縁部分等は、全く見えない。
【００１７】
これに対して、本実施の形態による印鑑１では、上述のとおり、印鑑基材１０が透明であり、かつ、端面１２が平坦である。そのため、図２に示すように、端面１１に刻印された印章の全体像を、実物大で、端面１２から見ることができる。その結果、紙面に対して印章の上下を容易に合わせることができる。
【００１８】
さらに、基材１０は透明であるため、押印時に印鑑１を真上から見たとき、端面１１の印章の全体像とともに、紙面上の印欄も端面１２と通して見ることができる。つまり、使用者は、印鑑１を押印するとき、印章の全体像を確認でき、かつ、印鑑１の外側及び内側（端面１２内）から紙面上の印欄の枠を確認できる。したがって、印面が紙面に接触する直前まで、使用者は、印章の位置と印欄の位置関係を正確に確認でき、所望の位置に正確に押印することができる。
【００１９】
図１では、印鑑１の基材１０を円柱としたが、図５に示すように、基材１０が四角柱であってもよい。また、多角柱であってもよい。要するに、横断面が一定な柱体であればよい。
【００２０】
図１では、端面１２の全体が平坦であるとしたが、図６に示すように、端面１２の周縁が丸み１２１を帯びていてもよい。端面１２の周縁が丸み１２１を帯びていれば、押印時に周縁に指及び手のひらが当たったとき、指及び手のひらが痛くなりにくい。
【００２１】
ただし、周縁の丸み１２１が大きすぎれば、真上から端面１２を見たとき、印章の全体像が見えにくくなる。具体的には、印章の周縁部分が見えにくくなる。そのため、端面１２から印章の全体像が見える程度に、丸み１２１の幅Ｗを抑える。好ましくは、丸みを帯びた幅Ｗは、端面１２の最大幅の５％未満に抑える。要するに、端面１２は、印面の印章の全体像を見える程度の領域（略全体）で平坦であればよい。
【００２２】
印鑑１の基材１０は透明であるが、透明であれば無色であっても有色であってもよい。基材１０は、端面１２から端面１１の印章が見える程度の透明度を有すれば足りる。
【００２３】
また、基材１０の側面上に半透明又は不透明な層が形成されていてもよい。たとえば、図７に示すように、円柱状の基材１０の周面（側面）１３に、半透明又は不透明な塗膜１４が形成されてもよいし、模様や柄等が施された層が形成されてもよい。本実施の形態では、印鑑１を真上から見たときに、端面１２から端面１１の印章が見えれば足りる。そのため、基材の側面上に半透明又は不透明な層が形成されても本発明の効果に影響しない。
【００２４】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００２５】
【図１】本発明の実施の形態による印鑑の斜視図である。
【図２】図１の印鑑の上面図である。
【図３】従来の印鑑の正面図である。
【図４】印材が透明で印面と反対側の端面が丸みを有する印鑑の上面図である。
【図５】図１と異なる、本実施の形態による他の印鑑の斜視図である。
【図６】図１及び図５と異なる、本実施の形態による他の印鑑の正面図である。
【図７】図１、図５及び図６と異なる、本実施の形態による他の印鑑の斜視図である。
【符号の説明】
【００２６】
１  印鑑
１０  基材
１１、１２  端面
【図１】
2009137223.tif 000003
【図２】
2009137223.tif 000004
【図３】
2009137223.tif 000005
【図４】
2009137223.tif 000006
【図５】
2009137223.tif 000007
【図６】
2009137223.tif 000008
【図７】
2009137223.tif 000009